(57)【要約】【課題】情報処理装置に備えるアンテナは、表示パネルを内蔵する表示筐体に配置されるため、アンテナ特性を向上させることが困難である。【解決手段】ノートパソコン３１は、表示パネル３２ａを備える表示筐体３２と、表示パネル３２ａで表示される表示信号を入力する操作部３３ａとを開閉自在に支持するヒンジ機構４で構成される。このノートパソコン３１を保護するジャケット１１０において、ジャケット表示部内面１１０ａとジャケット表示部外面１１０ｂとの間に、一対のアンテナ６０を配置する。アンテナ６０は、表示筐体上面３２ｄからＬ０だけ突出しているため、アンテナ特性に優れたオートパソコン３２を提供できる。【選択図】図１１Ｂ
2014089660.tif 000002
【特許請求の範囲】
【請求項１】
無線信号を送受信するアンテナと、
前記アンテナが配置された非導電性材料の保護カバーと、
接続部を介して接続された前記保護カバーによって外面を覆われ、前記無線信号を処理する信号処理回路を備えた情報処理装置。
【請求項２】
情報処理装置には外部接続端子が形成され、前記アンテナと前記外部接続端子が接続される、請求項１記載の情報処理装置。
【請求項３】
前記アンテナの一部は、前記ジャケットが情報処理装置を覆う部分の外側に配置される、請求項１乃至３の何れかに記載の情報処理装置
【請求項４】
前記保護カバーは、前記信号処理回路を内蔵する筐体に固着される、請求項１乃至３の何れかに記載の情報処理装置。
【請求項５】
前記アンテナは、板金を基板として適用する、請求項１乃至３の何れかに記載の情報処理装置。
【発明の詳細な説明】
【技術分野】
【０００１】
本発明は、保護カバーで外周を覆われた情報処理装置に関する。
【背景技術】
【０００２】
特許文献１は、表示筐体の上部の自由端略中央部に、平面アンテナを配置することで、表示筐体を開いた状態でも閉じた状態でも偏りがないアンテナ放射特性が得られる技術を開示している。
【先行技術文献】
【特許文献】
【０００３】
【特許文献１】特開２０００−１７２３７６号公報
【発明の概要】
【発明が解決しようとする課題】
【０００４】
本発明は、アンテナの送受信特性が高い情報処理装置を提供することを目的とする。
【課題を解決するための手段】
【０００５】
本発明の情報処理装置は、無線信号を送受信するアンテナと、前記アンテナが配置された非導電性材料の保護カバーと、接続部を介して接続された前記保護カバーによって外面を覆われ、前記無線信号を処理する信号処理回路とを備える。
【発明の効果】
【０００６】
本発明によれば、情報処理装置自身の材質に関係なく好適な箇所にアンテナを配置することができる。よって、無線信号に対するアンテナの送受信感度を高めるのに有効である。
【図面の簡単な説明】
【０００７】
【図１Ａ】ノートパソコンの表示筐体を開いた斜視図である。
【図１Ｂ】ノートパソコンの表示筐体を閉じた表面斜視図である。
【図１Ｃ】ノートパソコンの表示筐体を閉じた裏面斜視図である。
【図２Ａ】ジャケットの内面の斜視図である。
【図２Ｂ】ジャケットの外面の斜視図である。
【図３Ａ】ノートパソコンとジャケットとの組み立て過程の斜視図である。
【図３Ｂ】ノートパソコンとジャケットとの組み立て過程の斜視図である。
【図３Ｃ】ジャケットを装着したノートパソコンの表示筐体を閉じた斜視図である。
【図３Ｄ】ジャケットを装着したノートパソコンの表示筐体を開いた斜視図である。
【図４Ａ】ジャケットの内面の斜視図である。
【図４Ｂ】ジャケットの外面の斜視図である。
【図５】ノートパソコンの側面図である。
【図６】連結部の斜視図である。
【図７Ａ】表示筐体に連結部を装着する前の状態を示す斜視図である。
【図７Ｂ】表示筐体に連結部を装着した後の状態を示す斜視図である。
【図８】連結部を装着した後のノートパソコンの側面図である。
【図９Ａ】ジャケットを装着したノートパソコンの表示筐体を閉じた斜視図である。
【図９Ｂ】ジャケットを装着したノートパソコンの表示筐体を開いた斜視図である。
【図１０Ａ】ジャケットの内面の斜視図である。
【図１０Ｂ】ジャケットの外面の斜視図である。
【図１０Ｃ】ノートパソコンを裏面から見た斜視図である。
【図１１Ａ】ジャケットの内面の斜視図である。
【図１１Ｂ】ジャケットの外面の斜視図である。
【図１１Ｃ】ジャケットを装着したノートパソコンの表示筐体を開いた斜視図である。
【図１１Ｄ】ノートパソコンにアンテナを接続した斜視図である。
【図１２Ａ】アンテナの一実施形態の要部拡大図である。
【図１２Ｂ】無線信号処理回路の一実施形態のブロック図である。
【図１３Ａ】一実施形態のジャケットを装着したノートパソコンの表示筐体を閉じた斜視図である。
【図１３Ｂ】一実施形態のジャケットを装着したノートパソコンの表示筐体を開いた斜視図である。
【図１４Ａ】他の実施の形態のジャケットを装着したノートパソコンの表示筐体を閉じた側面図である。
【図１４Ｂ】他の実施の形態のジャケットを装着したノートパソコンの表示筐体を閉じた平面図である。
【図１５Ａ】別の実施形態のジャケットを装着したノートパソコンを閉じた側面図である。
【図１５Ｂ】図１５Ａのノートパソコンを表示筐体から見たジャケットの要部正面図である。
【図１５Ｃ】同実施形態のノートパソコンを開いた側面図である。
【図１５Ｄ】図１５Ｃのノートパソコンを表示筐体から見たジャケットの要部正面図である。
【図１６Ａ】他の実施の形態に係るジャケットの内面の斜視図である。
【図１６Ｂ】同実施の形態に係るジャケットの外面の斜視図である。
【図１７Ａ】別の実施の形態に係るジャケットの内面の斜視図である。
【図１７Ｂ】同実施の形態に係るジャケットの外面の斜視図である。
【図１８Ａ】他の実施の形態に係るジャケットの内面の斜視図である。
【図１８Ｂ】同実施の形態に係るジャケットの外面の斜視図である。
【図１９Ａ】別の実施の形態に係るジャケットの内面の斜視図である。
【図１９Ｂ】同実施の形態に係るジャケットの外面の斜視図である。
【発明を実施するための形態】
【０００８】
本実施の形態では、情報処理装置の一例としてノートパソコン（ラップトップパソコン）を挙げて説明する。
【０００９】
［ノートパソコンの構成］
図１Ａ乃至図１Ｃに示すように、ノートパソコン１は、表示パネル２ａを内蔵する表示筐体２と、表示パネル２ａに表示する信号を処理する信号処理回路（後述）を内蔵する操作筐体３と、表示筐体２と操作筐体３とを開閉自在に軸支するヒンジ機構４とを備える。
【００１０】
表示筐体２は、表示パネル２ａの周辺を覆う表示筐体表面２ｂ、表示パネル２ａの裏面を覆う表示筐体裏面２ｃ、図１Ａに示すように表示パネル２ａに表示されている画面を視認する際に上側となる表示筐体上面２ｄ、表示パネル２ａを視認する際に右側となる表示筐体右側面２ｅと左側となる表示筐体左側面２ｆ、および表示パネル２ａを視認する際に後側となりヒンジ機構４が係合する表示筐体後面２ｇとを備える。
【００１１】
操作筐体３は、表示パネル２ａに表示する表示信号を入力するキーボードおよびポインティングデバイスの操作部３ａ、操作部３ａを配置する操作筐体表面３ｂ、操作筐体表面３ｂの裏面の操作筐体裏面３ｃ、図１Ａに示すようにノートパソコン１を操作する状態で操作者側となる操作筐体前面３ｄ、ノートパソコン１を操作する状態で右側となる操作筐体右側面３ｅと左側となる操作筐体左側面３ｆ、ノートパソコン１を操作する状態で操作者の後側となる操作筐体後面３ｇを備える。なお、操作筐体３には、上述した操作部３ａ以外に、無線信号を処理する信号処理回路や電気信号を表示パネル２ａに表示する視認情報に処理する中央集積回路などの各種電気素子が実装された回路基板、ハードディスクドライブ等や、機種によっては光ディスクドライブも内蔵している。
【００１２】
ヒンジ機構４は、表示筐体２と操作筐体３とを開閉自在に軸支する。また、表示パネル２ａと操作筐体３に内蔵する回路基板とを接続する配線等もヒンジ機構４を通っている。
【００１３】
操作者がノートパソコン１を使用する際には、図１Ａに示したように、操作筐体３に対して表示筐体２を開き、ノートパソコン１が停止状態にする際には、図１Ｂに示したように、操作筐体３と表示筐体２とを閉じる。ノートパソコン１は、携帯性も備えるため、例えば図１Ｂに示した状態で持ち運びを行うこともある。持ち運びすることにより、ノートパソコン１は例えば他の異物に当接することや、落下による衝撃等の外乱を受ける可能性がある。このように当接や外乱（以降「外乱」と称する）から、操作筐体３に内蔵する各種電子部品や表示筐体２に内蔵する表示パネル２ａを保護するため、操作筐体３の外側を覆う操作部外装や表示筐体２を覆う表示部外装（以降「外装」と称する）には、耐衝撃性に優れる金属等が適用される。本実施の形態では金属マグネシウムを適用した。
【００１４】
［保護カバーの構成］
上述したように、外乱に対して耐性を高めるために、本実施形態では図２Ａおよび図２Ｂに示すように、ノートパソコン１を覆う保護カバー（以降「ジャケット」と称す）５を適用した。ジャケット５は、表示筐体２の表示筐体裏面２ｃを保護するジャケット表示部内面５ａ、ジャケット表示部内面５ａの裏面のジャケット表示部外面５ｂ、操作筐体３を保護するジャケット操作部内面５ｃ、ジャケット操作部内面５ｃの裏面のジャケット操作部外面５ｄ、ジャケット表示部内面５ａとジャケット操作部内面５ｃとを連結するジャケット接続部内面５ｅ、およびジャケット表示部外面５ｂとジャケット操作部外面５ｄとを連結するジャケット接続部外面５ｆ、図１Ａおよび図１Ｂの状態で表示筐体右側面２ｅ側となるジャケット表示部右側面５ｇ、表示筐体左側面２ｆ側となるジャケット表示部左側面５ｈ、表示筐体上面２ｄ側となるジャケット表示部上面５ｉ、操作筐体右側面３ｅ側となるジャケット操作部右側面５ｊ、操作筐体左側面３ｆ側となるジャケット操作部左側面５ｋ、操作筐体前面３ｇ側となるジャケット操作部前面５ｌで構成されている。なお、本実施の形態では、ジャケット操作部外面５ｄの４つの角部近傍には隆起部６を配置した。この隆起部６を備えることで、机上等の水平面にノートパソコン１を載置する際や、ジャケット操作部外面５ｄが落下衝撃を受けた際に、緩衝効果がある。また、ノートパソコン１とジャケット５とを固定するため、ネジ７（後述）が貫通孔５ｍを介して図１Ｃに示したネジ穴３ｈに締結した。
【００１５】
ジャケット５をノートパソコン１に装着する際には、図３Ａに示したように、ノートパソコン１の操作筐体裏面３ｃをジャケット操作部内面５ｃに対向させる。この状態でノートパソコン１をジャケット操作部内面５ｃに当接させ、図３Ｂに示したように、ネジまたはビス（以下、ネジと称す）７で固定する。ネジ７で固定した後、ジャケット接続部内面５ｅおよびジャケット接続部外面５ｆを矢印Ａ方向に湾曲させ、図３Ｃに示すように表示筐体裏面３ｃにジャケット表示部内面５ａを装着する。このように、ノートパソコン１の表示筐体２を操作筐体３に対して閉じた状態（図３Ｃ参照）と、表示筐体２を操作筐体３に対して開いた状態（図３Ｄ参照）との間で、ジャケット表示部内面５ａが表示筐体裏面２ｃを摺動するように配置することで、ヒンジ機構４を介して操作筐体３に対し表示筐体２が開閉するノートパソコン１に適用できる。このジャケット５に対するノートパソコン１の固定および摺動に関する一実施の形態は、図４Ａ乃至図９Ｂを参照して次に述べる。
【００１６】
ジャケット１００は、支持部材１０と貫通孔１００ｍとを備える。具体的には、図４Ａおよび図４Ｂに示したように、ジャケット１００は、ジャケット表示部内面１００ａ、ジャケット表示部内面１００ａの裏面のジャケット表示部外面１００ｂ、ジャケット操作部内面１００ｃ、ジャケット操作部内面１００ｃの裏面のジャケット操作部外面１００ｄ、ジャケット表示部内面１００ａとジャケット操作部内面１００ｃとを連結するジャケット接続部内面１００ｅ、ジャケット表示部外面１００ｂとジャケット操作部外面１００ｄとを連結するジャケット接続部外面１００ｆ、ノートパソコン１をジャケット１００に装着した状態で表示筐体右側面２ｅ側となるジャケット表示部右側面１００ｇ、表示筐体左側面２ｆ側となるジャケット表示部左側面１００ｈ、表示筐体上面２ｄ側となるジャケット表示部上面１００ｉ、操作筐体右側面３ｅ側となるジャケット操作部右側面１００ｊ、操作筐体左側面３ｆ側となるジャケット操作部左側面１００ｋ、操作筐体前面３ｄ側となるジャケット操作部前面１００ｌで構成される。また、ジャケット操作部内面１００ｃとジャケット操作部外面１００ｄとを貫通する３つの貫通孔１００ｍは、ノートパソコン３１の操作部裏面３３ｃに形成されたネジ穴３３ｈ（図１０Ｃ参照）にネジ７で螺結する。なお、本実施の形態に用いたノートパソコン３１の側面図は、図５に示した。また、上述したように、ジャケット操作部外面１００ｄの４つの角部近傍には隆起部６を配置した。
【００１７】
ノートパソコン３１は、図５に示したように、表示筐体３２と操作筐体３３とで構成される。表示筐体３２は、図９Ａ、図９Ｂおよび図１０Ｃを参照して後述するように、表示パネル３２ａの周辺を覆う表示筐体表面３２ｂ、表示筐体表面３２ｂの裏面の表示筐体裏面３２ｃ、表示パネル３２ａを視認する際に上側となる表示筐体上面３２ｄ、表示パネル３２ａを視認する際に右側となる表示筐体右側面３２ｅと左側となる表示筐体左側面３２ｆ、および表示パネル３２ａを視認する際に下側となる表示筐体下面３２ｇとを備える。
【００１８】
操作筐体３３は、表示パネル３２ａに表示する表示信号を入力するキーボードおよびポインティングデバイスの操作部３３ａ、操作部３３ａを配置する操作部表面３３ｂ、操作筐体表面３３ｂの裏面の操作筐体裏面３３ｃ、表示パネル３２ａを開いた状態で操作部３３ａを操作者側となる操作筐体前面３３ｄ、ノートパソコン３１を操作する状態で右側となる操作筐体右側面３３ｅと左側となる操作筐体左側面３３ｆ、およびノートパソコン３１を操作する状態で操作者の後側となる操作筐体後面３３ｇとを備える。なお、操作筐体３３には、前述したように無線信号を処理する信号処理回路や電気信号を表示パネルに表示する視認情報に処理する中央集積回路などの各種電気素子が実装された回路基板、ハードディスクドライブ等や、機種によっては光ディスクドライブなども内蔵している。
【００１９】
また、ノートパソコン３１は、図５に示したように、表示筐体３２の表示筐体右側面３２ｅにおける表示筐体上面３２ｄ近傍には、係合孔３２ｈを備えている。また、表示筐体左側面３２ｆにおける表示筐体上面３２ｄ近傍にも、同様に係合孔３２ｈ（不図示）を備えている。後述するように、これらの係合孔３２ｈは、図６乃至図８に示すように、連結部材２０を介して支持部材１０が支持されている。
【００２０】
すなわち、連結部材２０は、図６に示すように、基部２１、基部２１に固定され係合孔３２ｈと係合する係合部２２、および支持部材１０の側面を摺動する摺動部２３で構成されている。基部２１は、係合部２２が固定配置される第１の側面２１ａと、摺動部２３を配する第２の側面２１ｂとを備える。係合部２２は、係合孔３２ｈに対し遊嵌する先端部２２ａ、および係合孔３２ｈを遊挿する軸部２２ｂで構成されている。また、摺動部２３は、支持部材１０の外周を摺動自在に構成され、第２の側面２１ｂにそれぞれ締結される一方の端部２３ａおよび他方の端部２３ｂを備えている。すなわち、一方の端部２３ａおよび他方の端部２３ｂとの間には、支持部材１０を摺動する空隙２３ｃを備え、２３ｅは摺動部２３における支持部材１０の外側の支軸部外側であり、他方の端部２３ｂと第２の側面２１ｂとの間には間隙ｄを備える。
【００２１】
係合部２２を係合孔３２ｈに係合させるには、図７Ａに示したように、連結部材２０を傾け、先端部２２ａを係合孔３２ｈに挿入する。挿入した後、表示筐体右側面３２ｅ（図５参照）に対し略９０°傾斜させると、図７Ｂに示すように軸部２２ｂが係合孔３２ｈに遊挿し、図８に示すように、ノートパソコン３１の表示筐体側面３２ｅに対して連結部材２０を支持部材１０に係合させることができる。なお、上記説明では表示筐体右側面３２ｅのみであるが、表示筐体左側面３２ｆの係合孔３２ｈに対しても、上述と同様にして連結部材２０を支持部材１０に係合させる。
【００２２】
また、ジャケット１００のジャケット操作部外面１００ｄからジャケット操作部外面１００ｆに貫通形成した貫通孔１００ｍには、図３Ａに示したネジ７を挿通させて、操作筐体裏面３３ｃに備えるネジ穴３３ｈに螺結させることで、図９Ａおよび図９Ｂに示したように、ノートパソコン３１の外装筐体にジャケット１００を装着する。なお、図９Ａに示したノートパソコン３１を閉じた状態から、図９Ｂに示したノートパソコンを開いた状態に移行させると、ジャケット１００はジャケット接続部内面１００ｅおよびジャケット接続部外面１００ｆで湾曲した距離だけずれが生じる。そこで、本実施の形態では、前述したように、ジャケット１００は、操作筐体裏面３２ｃに対してネジで固着し、表示筐体３２に対してはジャケット表示部内面１００ａと表示筐体裏面３２ｃとを摺動可能に構成している。
【００２３】
なお、上述ではノートパソコン３１とジャケット１００とは、ジャケット操作部内面１００ｃおよびジャケット操作部外面１００ｄと操作筐体裏面３３ｃとをネジで螺結することで固定し、表示筐体表面３２ｂではジャケット表示部内面１００ａが表示筐体裏面３２ｃに対し摺動可能に構成したが、固定および摺動可能に構成する手法としては、これに限定されるものではない。固定方法としては、例えば面テープ、接着、溝と爪との締結等であっても適用することができる。また、摺動可能な方法としては、表示筐体表面３２ｂにジャケット表示部内面１００ａおよびジャケット表示部外面１００ｂを摺動するように折り曲げて係合させてもよく、あるいは例えばタブレット型等と称される表示筐体３２だけ（すなわち、例えばタッチパネルのような操作機能を備える表示パネル３２ａを操作筐体３３に配置する構成）の場合には、ジャケット表示部内面１００ａおよびジャケット表示部外面１００ｂはノートパソコン３１に対して係合することがなく、蓋をするだけの構成等摺動構成は何れであっても採用することができる。
【００２４】
以上のような構成で、ジャケット１００をノートパソコン３１の外装筐体に沿わせて配置させることができる。
【００２５】
［アンテナとノートパソコンとの接続構成］
次に、ジャケット１００に配置したアンテナ６０と、ノートパソコン３１との接続について、図１０Ａ乃至図１１Ｄを参照して説明する。
【００２６】
図１０Ａ乃至図１０Ｃは、アンテナ６０を配置したジャケット１００とノートパソコン３１との接続の一実施形態を示す斜視図である。なお、ジャケット１００および支持部材１０については、図４Ａ乃至図９Ｂを参照して説明した構成と同じであるため、説明は割愛する。また、図１０Ａは、ジャケット表示部内面１００ａ、ジャケット接続部内面１００ｅおよびジャケット操作部内面１００ｃ側から見たジャケット１００の斜視図である。図１０Ｂは、ジャケット表示部外面１００ｂ、ジャケット接続部外面１００ｆおよびジャケット操作部外面１００ｄ側から見た斜視図である。また、図１０Ｃは、ノートパソコン３１を操作筐体裏面３３ｃから見た斜視図である。
【００２７】
一対のアンテナ６０は、ジャケット１００のジャケット表示部内面１００ａおよびジャケット表示部外面１００ｂの間で、ジャケット表示部上面１００ｉ側に配置した。アンテナ６０とノートパソコン３１とを電気的に接続する配線７０は、ジャケット１００のジャケット表示部内面１００ａとジャケット表示部外面１００ｂとの間、ジャケット接続部内面１００ｅとジャケット接続部外面１００ｆとの間、およびジャケット操作部内面１００ｃとジャケット操作部外面１００ｄとの間において、ジャケット表示部上面１００ｉ近傍およびジャケット表示部右側面１００ｇ近傍に沿ってコネクタ７１に接続した。本実施形態のコネクタ７１は、図１０Ｂに示したように、ジャケット操作部外面１００ｄのジャケット接続部外側１００ｆ側におけるジャケット操作部右側面１００ｇに配置した隆起部６に、ジャケット操作部内面１００ｃ側を接続部として配置した。また、ノートパソコン３１の操作筐体裏面３３ｃには、ジャケット１００に配置したコネクタ７１に対応して、図１０Ｃに示すように、コネクタ３３ｉを設けた。なお、本実施形態のコネクタ７１は、隆起部６が内蔵するように形成したことで、コネクタ３３ｉとコネクタ７１との電気的接続が、例えば外乱に対し強固に形成することができる。また、本実施形態のコネクタ７１は、ジャケット接続部外面１００ｆとジャケット操作部右側面１００ｇとの隆起部６に備えたが、これに限定されるものではなく、例えばジャケット接続部外面１００ｆとジャケット操作部左側面１００ｈとの隆起部６や、ジャケット操作部前面１００ｌ側の隆起部６であってもよい。さらに、本実施形態ではコネクタ７１は一つだけを例に挙げたが、例えば一対のアンテナ６０それぞれから個別に一対のコネクタ７１を配置してもよい。なお、上述のコネクタ７１の配置は、ノートパソコン３１のコネクタ３３ｉに応じて選択できる。
【００２８】
図１１Ａ乃至図１１Ｄは、アンテナ６０を配置したジャケット１００とノートパソコン３１との接続の一実施形態を示す斜視図である。図１１Ａは、ジャケット表示部内面１００ａ、ジャケット接続部内面１００ｅおよびジャケット操作部内面１００ｃ側から見たジャケット１００の斜視図である。図１１Ｂは、ジャケット表示部外面１００ｂ、ジャケット接続部外面１００ｆおよびジャケット操作部外面１００ｄ側から見た斜視図である。図１１Ｃおよび図１１Ｄは、操作状態におけるノートパソコン３１の斜視図である。
【００２９】
一対のアンテナ６０は、図１１Ａおよび図１１Ｂに示すように、ジャケット１００のジャケット表示部内面１００ａおよびジャケット表示部外面１００ｂの間で、ジャケット表示部上面１００ｉ側に配置した。アンテナ６０とノートパソコン３１とを電気的に接続する配線７２は、ジャケット１００のジャケット表示部内面１００ａとジャケット表示部外面１００ｂとの間、ジャケット接続部内面１００ｅとジャケット接続部外面１００ｆとの間、およびジャケット操作部内面１００ｃとジャケット操作部外面１００ｄとの間を経て、ジャケット操作部右側面１００ｊからコネクタ７３が露出するように配置した。コネクタ７３は、図１１Ｃに示すように、ノートパソコン３１の操作筐体右側面３３ｅに備えるコネクタ３３ｊに接続させることで、図１１Ｄに示したように一対のアンテナ６０とノートパソコン３１とを電気的に接続した。なお、本実施形態のコネクタ７３は、ノートパソコン３１が備えるアンテナ専用のコネクタ３３ｊに、簡単な構成で電気的に接続することができる。また、ノートパソコン３１のコネクタ３３ｊは、操作者が触れ難いヒンジ機構４近傍に備えることで、接続部に触れることが抑制できる。なお、図１１Ｄでは配線７２が露出した構成であるが、例えばコネクタ７３をコネクタ３３ｊに接続した後、配線７２を蓋体等で固着することもできる。また、本実施形態のコネクタ７３は、ジャケット操作部右側面１００ｊ側に備えたが、これに限定されるものではなく、例えばジャケット操作部左側面１００ｋ側や、ジャケット操作部内面１００ｃ側等であってもよい。さらに、本実施形態ではコネクタ７３は一つだけを例に挙げたが、例えば一対のアンテナ６０それぞれから個別に一対のコネクタ７３を配置してもよい。なお、上述のコネクタ７３の配置は、ノートパソコン３１のコネクタ３３ｊに応じて選択できる。
【００３０】
また、アンテナ６０が外部から無線電波を送受信するジャケット表示部外面１００ｂには、無線電波のシールドを抑制するため、少なくともジャケット表示部外面１００ｂには非導電性材料を用いる。このような構成にすることで、アンテナ６０は、ジャケット表示部外面１００ｂの任意の場所に配置することができる。一方、ジャケット１００は、一体形成することができる。また、ジャケット接続部内面１００ｅおよびジャケット接続部外面１００ｆが屈曲する可撓性を備えることができる。さらに、ジャケット表示部内面１００ａは、表示筐体裏面３２ｃに対して摺動性を有する。したがって、少なくともジャケット表示部外面１００ｂ、ジャケット接続部内面１００ｅおよびジャケット接続部外面１００ｆに供する材料としては、プラスティックフィルム、エラストマー性樹脂、皮革等が適用される。
【００３１】
［アンテナおよび信号処理回路の構成］
次に、本実施形態で用いたアンテナ６０および操作筐体３３に内蔵した信号処理回路の例を、図１２Ａおよび図１２Ｂを参照して説明する。ここでは、図１２Ａに示したように逆Ｆ型アンテナ５１について説明する。逆Ｆ型アンテナ５１は、絶縁層５４の上に、グラウンド部５２および電波共振部５３を配し、電波共振部５３を送受信する電波の波長λに対してλ／４の長さになるように設定されている。電波共振部５３は給電点５５を有し、給電点５５は絶縁層５４上に形成した信号線５６の端部に接続されている。グラウンド部５２はグラウンド延長部５７に接続され、電波共振部５３は電波共振延長部５８に接続され、信号線５６は信号線延長部５９に接続され、グラウンド延長部５７、電波共振延長部５８および信号線延長部５９は、絶縁層と共にフレキシブル配線を形成している。フレキシブル配線は、信号線延長部５９を間にはさむグラウンド延長部５７および電波共振延長部５８を備えている。図１２Ｂは、無線信号を処理する回路基板２００の一例である。回路基板２００は、一対のアンテナ５１が送受信する無線電波信号の強度等に応じて受け付けるアンテナ５１を選択するダイバーシティコントローラ２０２と、ダイバーシティコントローラ２０２の選択に応じて振り分ける切替部２０３と、切替部２０３によって得られる電波信号を処理するＲＦ信号処理回路２０４とで構成される信号処理回路２０１とを備える。ＲＦ信号処理回路２０４は、アンテナ５１それぞれの電波信号に応じて信号を増幅する増幅部２０５と、増幅部２０５で増幅された信号を処理する信号処理部２０６とを備える。なお、７０はアンテナ５１の延長部５７、５８および５９と回路基板２００の延長部５７、５８および５９をそれぞれ接続するコネクタである。アンテナ５１として、図１１Ａ乃至図１１Ｄを参照して説明した構成を用いる場合には、コネクタは７３となる。また、図１０Ａ乃至図１０Ｃにおけるコネクタ７１や図１１Ａ乃至図１１Ｄにおけるコネクタ７３はそれぞれ単一の例として説明したが、図１２Ｂにおけるコネクタ７０（または７３）を一つに纏めた構成を示している。
【００３２】
［１．アンテナを配置したジャケットの構成１］
次に、アンテナ６０を配置したジャケットの構成例について、図１３Ａおよび図１３Ｂを参照して説明する。
【００３３】
図１３Ａおよび図１３Ｂは、一対のアンテナ６０を配置したジャケット１１０を、ノートパソコン３１に装着した斜視図である。なお、本実施形態で用いたノートパソコン３１は、図９Ａおよび図９Ｂを参照して前述した構成と同じであるため、構成に関する説明は割愛する。また、本実施形態で用いたアンテナ６０、配線７０およびコネクタ７１は、図１０Ａ乃至図１０Ｃを参照して前述した構成と同じであるため、構成に関する説明は割愛する。
【００３４】
本実施形態のジャケット１１０は、ジャケット表示部内面１１０ａ、ジャケット表示部内面１１０ａの裏面のジャケット表示部外面１１０ｂ、ジャケット操作部内面１１０ｃ、ジャケット操作部内面１１０ｃの裏面のジャケット操作部外面１１０ｄ、ジャケット表示部内面１１０ａとジャケット操作部内面１１０ｃとを連結するジャケット接続部内面１１０ｅ、ジャケット表示部外面１１０ｂとジャケット操作部外面１１０ｄとを連結するジャケット接続部外面１１０ｆ、ノートパソコン１をジャケット１１０に装着した状態で表示筐体右側面３２ｅ側となるジャケット表示部右側面１１０ｇ、表示筐体左側面３２ｆ側となるジャケット表示部左側面１１０ｈ、表示筐体上面３２ｄ側となるジャケット表示部上面１１０ｉ、操作筐体右側面３３ｅ側となるジャケット操作部右側面１１０ｊ、操作筐体左側面３３ｆ側となるジャケット操作部左側面１１０ｋ、操作筐体前面３３ｄ側となるジャケット操作部前面１１０ｌで構成される。また、ジャケット操作部内面１１０ｃとジャケット操作部外面１１０ｄとを貫通する３つの貫通孔１１０ｍは、ノートパソコン３１の操作部裏面３３ｃに形成されたネジ穴３３ｈにネジ７で螺結する。また、ジャケット操作部外面１１０ｄの４つの角部近傍には、図１０Ｂに示したように隆起部６を配置した。
【００３５】
本実施形態のジャケット１１０をノートパソコン３１に装着すると、ジャケット表示部上面１１０ｉは、表示筐体上面３２ｄから長さＬ０だけ突出している。なお、図１３Ａおよび図１３Ｂでは、ジャケット表示部上面１１０ｉの突出量は理解し易いように誇張して描いている。このジャケット表示部上面１１０ｉの表示筐体上面３２ｄ（図１３Ａでは操作筐体前面３３ｄも同様）からの突出長さＬ０内に、一対のアンテナ６０が配置されている。一対のアンテナ６０が、表示筐体上面３２ｄから外側に突出している領域に配置させることで、図１３Ａに示すように、操作筐体３３に対する表示筐体３２を閉じた状態であっても、図１３Ｂに示すように、操作筐体３３に対する表示筐体３２を開いた状態であっても、表示パネル３２ａおよび駆動回路等やノートパソコン３１の表示筐体３２が無線電波信号をシールドすることがないため、一対のアンテナ６０の送受信特性を向上させることができる。
【００３６】
また、本実施形態のジャケット操作部前面１１０ｌは、操作筐体前面３３ｄから長さＬ０だけ突出している構成としているが、アンテナ６０の送受信特性にはジャケット操作部前面１１０ｌは寄与するものではない。要するに、ジャケット表示部上面１１０ｉの突出量に合致させることで、図１３Ａに示した閉じた状態でのジャケット表示部上面１１０ｉを保護しているだけである。
【００３７】
また、本実施形態におけるアンテナ６０は一対としたが、単一であっても同じである。なお、本実施形態ではアンテナ６０をジャケット表示部上面１１０ｉに備える構成で説明したが、アンテナ６０は例えばジャケット表示部右側面１１０ｇに備える構成でも、ジャケット表示部右側面１１０ｇおよびジャケット表示部左側面１１０ｈそれぞれに備える構成でも、アンテナ６０が対応するノートパソコン３１の側面（表示筐体右側面３２ｅおよび／または表示筐体左側面３２ｆ）から突出した構成であれば効果は同じである。
【００３８】
また、本実施形態のアンテナ６０は、図１２Ａにおけるアンテナ基板（図示では絶縁層５４）全体を突出領域に配置したが、例えば電波共振部５３を主体に突出領域に配置する等のように、無線電波信号を送受信する部分を突出領域に配置する構成であってもよい。
【００３９】
このように、アンテナ６０を配置した方向において、ジャケット表示部内面１１０ａおよびジャケット表示部外面１１０ｂに対する表示筐体３２の投影面積より大きくしたことにより、アンテナ６０の無線電波信号に対する送受信特性を向上させることができる。
【００４０】
［２．アンテナを配置したジャケットの構成２］
次に、アンテナ６０を配置したジャケットの構成例について、図１４Ａおよび図１４Ｂを参照して説明する。
【００４１】
図１４Ａおよび図１４Ｂは、一対のアンテナ６０を配置したジャケット１００を、ノートパソコン３１に装着した斜視図である。なお、本実施形態で用いたノートパソコン３１の構成は、図９Ａおよび図９Ｂを参照した説明と同じであるため、構成に関する説明は割愛する。また、本実施形態で用いたアンテナ６０、配線７０およびコネクタ７１は、図１０Ａ乃至図１０Ｃを参照して前述した構成と同じであるため、構成に関する説明は割愛する。
【００４２】
本実施形態のジャケット１００とノートパソコン３１との関係を、図１４Ａおよび図１４Ｂに示す。アンテナ６０は、図１４Ａに示したように、ノートパソコン３１の表示筐体３２を操作筐体３３に対して閉じた状態でジャケット表示部内面１００ａに対する表示筐体３２の投影面の内部に位置し、図１４Ｂに示したように、ノートパソコン３１の表示筐体３２を操作筐体３３に対して開いた状態では一部がジャケット表示部内面１００ａに対する表示筐体３２の投影面の外部に位置する。
【００４３】
アンテナ６０は、絶縁体で構成されるジャケット表示部内面１００ａとジャケット表示部外面１００ｂとの間に配置されているため、無線電波信号をシールドすることがない。その上、図１４Ｂに示したように、ノートパソコン３１の操作筐体３３に対して表示筐体３２を開いた状態では、アンテナ６０の一部が表示筐体３２の外部に露出する。したがって、この露出領域を例えば電波共振部５３側とする等により、アンテナ６０の送受信特性を向上させることができる。
【００４４】
また、本実施形態におけるアンテナ６０は一対としたが、単一であっても同じである。なお、本実施形態ではアンテナ６０をジャケット表示部上面１００ｉに備える構成で説明したが、アンテナ６０は例えばジャケット表示部右側面１００ｇに備える構成でも、ジャケット表示部右側面１００ｇおよびジャケット表示部左側面１００ｈそれぞれに備える構成でも、アンテナ６０が対応するノートパソコン３１の側面（表示筐体右側面３２ｅおよび／または表示筐体左側面３２ｆ）から突出した構成であれば効果は同じである。
【００４５】
このように、アンテナ６０を配置した方向において、ジャケット表示部内面１００ａおよびジャケット表示部外面１００ｂに対する表示筐体３２の投影面積より大きくしたことにより、アンテナ６０の無線電波信号に対する送受信特性を向上させることができる。また、ジャケット操作部内面１００ｃおよびジャケット操作部外面１００ｄは操作筐体３３に対してネジ７（図３Ａ参照）で固着され、操作筐体３３に対して表示筐体３２を開く動作過程でジャケット表示部内面１００ｃがアンテナ６０の配置方向に向けて表示筐体表面３２ｂを摺動する構成により、ジャケット表示部上面１００ｉ近傍に沿って配置したアンテナ６０の送受信特性を向上させることができる。
【００４６】
［３．アンテナを配置したジャケットの構成３］
次に、アンテナ６０を配置したジャケットの構成例について、図１５Ａおよび図１５Ｄを参照して説明する。
【００４７】
図１５Ａは、ノートパソコン３１にジャケット１００を装着した時の操作筐体３３に対し表示筐体３２を閉じた状態の側面図である。図１５Ｂは、支持部材１０近傍における操作筐体３３に対し表示筐体３２を閉じた状態の拡大平面図である。図１５Ｃは、ノートパソコン３１にジャケット１００を装着した時の操作筐体３３に対し表示筐体３２を開いた状態の側面図である。図１５Ｄは、支持部材１０近傍における操作筐体３３に対し表示筐体３２を開いた状態の拡大平面図である。なお、本実施形態で用いたノートパソコン３１の構成は、図９Ａおよび図９Ｂを参照した説明と同じであるため、構成に関する説明は割愛する。また、本実施形態で用いたアンテナ６０、配線７０、コネクタ７１およびジャケット１００は、図１０Ａ乃至図１０Ｃを参照して前述した構成と同じであるため、構成に関する説明は割愛する。
【００４８】
本実施形態のジャケット１００とノートパソコン３１との関係を、図１５Ａ乃至図１５Ｄに示す。アンテナ６０は、図１５Ａに示したように、ノートパソコン３１の表示筐体３２を操作筐体３３に対して閉じた状態でジャケット表示部内面１００ａに対する表示筐体３２の投影面の内部に位置している。但し、操作筐体前面１００ｄは、ジャケット表示部上面１００ｉから距離Ｌ１だけ突出している。この状態では、図１５Ｂに示したように、アンテナ６０の絶縁層５４（図１２Ａ参照）の一部は表示筐体前面３２ｄから外側に露出し、大部分は表示筐体表面３２ｂに重なって配置されている。表示筐体３２を操作筐体３３に対し矢印Ｂ方向に開くと、図１５Ｃに示したように、ジャケット表示部内面１００ａが表示筐体裏面３２ｃを摺動することにより、操作筐体前面１００ｄは、ジャケット表示部上面１００ｉから距離Ｌ２だけ突出する。このとき、ジャケット操作部内面１００ｃおよびジャケット操作部外面１００ｄは操作筐体裏面３３ｃと固着しているため、Ｌ１＜Ｌ２の関係となる。ジャケット表示部上面１００ｉが表示筐体上面３２ｄとの間を距離Ｌ２に摺動することで、図１５Ｄに示したように、アンテナ６０の絶縁層５４全体が表示筐体上面３２ｄとジャケット表示部上面１００ｉとの間に位置することとなる。
【００４９】
本実施形態では、図１５Ｃおよび図１５Ｄに示したように、ノートパソコン３１が少なくとも操作状態にあるとき、アンテナ６０の全面にわたり表示筐体３２でシールドされることがないため、無線電波信号の送受信特性を向上させることができる。また、図１５Ａおよび図１５Ｂに示したように、ノートパソコン３１の操作筐体３３に対して表示筐体３２を閉じた状態でも、アンテナ６０の一部は表示筐体上面３２ｄとジャケット表示部上面１００ｉとの間に配置されているため、無線電波信号の送受信特性を向上させることができる。
【００５０】
また、本実施形態におけるアンテナ６０は一対としたが、単一であっても同じである。なお、本実施形態ではアンテナ６０をジャケット表示部上面１００ｉに備える構成で説明したが、アンテナ６０は例えばジャケット表示部右側面１００ｇに備える構成でも、ジャケット表示部右側面１００ｇおよびジャケット表示部左側面１００ｈそれぞれに備える構成でも、アンテナ６０が対応するノートパソコン３１の側面（表示筐体右側面３２ｅおよび／または表示筐体左側面３２ｆ）から突出した構成であれば効果は同じである。
【００５１】
また、本実施形態のアンテナ６０は、図１２Ａにおけるアンテナ基板（図示では絶縁層５４）全体を突出領域に配置したが、例えば電波共振部５３を主体に突出領域に配置する等のように、無線電波信号を送受信する部分を突出領域に配置する構成であってもよい。
【００５２】
このように、アンテナ６０を配置した方向において、ジャケット表示部内面１００ａおよびジャケット表示部外面１００ｂに対する表示筐体３２の投影面積より大きくしたことにより、アンテナ６０の無線電波信号に対する送受信特性を向上させることができる。また、ジャケット操作部内面１００ｃおよびジャケット操作部外面１００ｄは操作筐体３３に対してネジ７（図３Ａ参照）で固着され、操作筐体３３に対して表示筐体３２を開く動作過程でジャケット表示部内面１００ｃがアンテナ６０の配置方向に向けて表示筐体表面３２ｂを摺動する構成により、ジャケット表示部上面１００ｉ近傍に沿って配置したアンテナ６０の送受信特性を向上させることができる。
【００５３】
［４．アンテナを配置したジャケットの構成４］
次に、アンテナ６０を配置したジャケットの構成例について、図１６Ａおよび図１６Ｂを参照して説明する。
【００５４】
図１６Ａは、ジャケット１００のジャケット表示部内面１００ａ、ジャケット操作部内面１００ｃおよびジャケット接続部内面１００ｅ側から見た斜視図である。図１６Ｂは、ジャケット１００のジャケット表示部外面１００ｂ、ジャケット操作部外面１００ｄおよびジャケット接続部外面１００ｆ側から見た斜視図である。なお、本実施形態で用いたジャケット１００は、図１０Ａ乃至図１０Ｃを参照して前述した構成と同じであるため、構成に関する説明は割愛する。
【００５５】
本実施形態のジャケット１００は、ジャケット表示部上面１００ｉ近傍に沿って配置した一対のアンテナ６０と、ジャケット表示部右側面１００ｇ近傍およびジャケット表示部左側面１００ｈ近傍それぞれに沿って配置した一対のアンテナ６１とを備える。アンテナ６０とアンテナ６１とは、例えば送受信する無線電波信号の周波数が異なる構成でも、一対のアンテナ６０および６１それぞれが送受信する無線電波信号の周波数が異なる構成であってもよい。
【００５６】
また、本実施形態のジャケット１００に配置した一対のアンテナ６０および６１は、配線７２でジャケット表示部内面１００ａおよびジャケット表示部外面１００ｂの間、ジャケット接続部内面１００ｅおよびジャケット接続部外面１００ｆの間、ジャケット操作部内面１００ｇおよびジャケット操作部外面１００ｆの間を経て、ジャケット接続部内面１００ｅとジャケット操作部右側面１００ｊとの角部に配置した隆起部６に収納されるコネクタ７１に電気的に接続される。
【００５７】
このような構成を備えるジャケット１００は、ノートパソコン３１が装着する。ジャケット１００とノートパソコン３１とは、ネジ７が貫通孔１００ｍを貫通し、操作筐体裏面３２ｃに備えるネジ穴３３ｈに固定される。また、ジャケット表示部内面１００ａは表示筐体表面３２ｂに対して摺動する。ジャケット表示部上面１００ｉ近傍に配置したアンテナ６０は、例えば１４ｂに示したように、ジャケット表示部内面１００ａに対し表示筐体３２の投影領域から一部が出ることでアンテナ特性を向上させることができる。ジャケット表示部右側面１００ｇおよびジャケット表示部左側面１００ｈそれぞれの近傍に配置したアンテナ６１は、連結部材２０が支持部材１０を摺動する。このように、アンテナ６１の配置位置は、ノートパソコン３１の表示筐体３２に対し平行移動するだけである。したがって、アンテナ６１を表示筐体右側面３２ｅとジャケット表示部右側面１００ｇとの間隙および表示筐体左側面３２ｆとジャケット表示部右側面１００ｈとの間隙に配置することで、無線電波送受信特性を向上させることができる。
【００５８】
また、本実施形態のジャケット１００にはアンテナ６０に加えアンテナ６１も配置したため、送受信できる無線電波の周波数を広域化できる。また、本実施形態におけるアンテナ６０および６１はそれぞれ一対としたが、アンテナ６０および／またはアンテナ６１が単一であってもよい。なお、本実施形態ではアンテナ６０をジャケット表示部上面１００ｉに備え、アンテナ６１はジャケット表示部右側面１００ｇおよびジャケット表示部左側面１００ｈに、アンテナ６１の送受信特性を向上す備える構成で説明しが、アンテナ６１は例えば電波干渉が少ない周波数領域を対象とする場合等では、アンテナ６１はジャケット表示部右側面１００ｇおよびジャケット表示部左側面１００ｈそれぞれの内部に配置することもできる。さらに、本実施形態ではアンテナ６０および６１をそれぞれ一対配置したが、ジャケット表示部上面１００ｉおよび／またはジャケット表示部右側面１００ｇおよび／またはジャケット表示部左側面１００ｈに３個以上のアンテナを配置してもよい。
【００５９】
［５．アンテナを配置したジャケットの構成５］
次に、アンテナ６０および／または６１を配置したジャケットの構成例について、図１７Ａ乃至図１９Ｂを参照して説明する。
【００６０】
図１７Ａは、ジャケット１００のジャケット表示部内面１００ａ、ジャケット操作部内面１００ｃおよびジャケット接続部内面１００ｅ側から見た斜視図である。図１７Ｂは、ジャケット１００のジャケット表示部外面１００ｂ、ジャケット操作部外面１００ｄおよびジャケット接続部外面１００ｆ側から見た斜視図である。なお、本実施形態で用いたジャケット１００は、図１０Ａ乃至図１０Ｃを参照して前述した構成と同じであるため、構成に関する説明は割愛する。
【００６１】
本実施形態のジャケット１００は、ジャケット表示部上面１００ｉ近傍における一対のアンテナ６０の配置位置とジャケット表示部内面１００ａとの間に、強度が高い基板８０を備えている。基板８０に適用する材料としては、例えばガラス繊維で強化したエポキシ樹脂、酸化アルミニューム、ステンレススティール等が挙げられる。また、アンテナ基板として基板８０を適用することもできる。なお、ステンレススティール等の導電性金属板金を基板８０に適用する場合には、図１２ａの絶縁層５４を備える構成とする。
【００６２】
このように、ジャケット表示部上面１００ｉに強度が高い基板８０を備えると、ジャケット１００を装着したノートパソコン３２において、ジャケット表示部外面１００ｂは非導電性材料であるため、アンテナ６０の無線電波信号に対する高い送受信特性を維持しながら、アンテナ６０を配置したジャケット表示部上面１００ｉの耐外乱性を向上することができる。
【００６３】
図１８Ａは、ジャケット１００のジャケット表示部内面１００ａ、ジャケット操作部内面１００ｃおよびジャケット接続部内面１００ｅ側から見た斜視図である。図１８Ｂは、ジャケット１００のジャケット表示部外面１００ｂ、ジャケット操作部外面１００ｄおよびジャケット接続部外面１００ｆ側から見た斜視図である。なお、本実施形態で用いたジャケット１００は、図１０Ａ乃至図１０Ｃを参照して前述した構成と同じであるため、構成に関する説明は割愛する。
【００６４】
本実施形態のジャケット１００は、ジャケット表示部上面１００ｉ近傍における一対のアンテナ６０と、ジャケット表示部右側面１００ｇおよびジャケット表示部左側面１００ｈそれぞれにアンテナ６１を配置し、アンテナ６０およびアンテナ６１との配置位置とジャケット表示部内面１００ａとの間に、強度が高い基板８１を備えている。すなわち、ジャケット表示部内面１００ａの面積に基板８１を備える構成である。基板８１に適用する材料としては、基板８０と同様であり、またアンテナ基板として基板８１を適用することもできる。
【００６５】
このように、ジャケット表示部内面１００ａの面積にほぼ等しい強度が高い基板８１を備えると、ジャケット１００を装着したノートパソコン３２において、ジャケット表示部外面１００ｂは非導電性材料であるため、アンテナ６０およびアンテナ６１により高周波領域にわたる送受信特性を維持しながら、ジャケット表示部上面１００ｉ、ジャケット表示部右側面１００ｇおよびジャケット表示部左側面１００ｈの全方向からの耐外乱性と、表示パネル３２ａに対し垂直方向に印加される外乱に対しても耐性を備えるジャケットを提供することができる。
【００６６】
図１９Ａは、ジャケット１００のジャケット表示部内面１００ａ、ジャケット操作部内面１００ｃおよびジャケット接続部内面１００ｅ側から見た斜視図である。図１９Ｂは、ジャケット１００のジャケット表示部外面１００ｂ、ジャケット操作部外面１００ｄおよびジャケット接続部外面１００ｆ側から見た斜視図である。なお、本実施形態で用いたジャケット１００は、図１０Ａ乃至図１０Ｃを参照して前述した構成と同じであるため、構成に関する説明は割愛する。
【００６７】
本実施形態のジャケット１００は、ジャケット表示部上面１００ｉ近傍における一対のアンテナ６０と、ジャケット表示部右側面１００ｇおよびジャケット表示部左側面１００ｈそれぞれにアンテナ６１を配置し、アンテナ６０およびアンテナ６１との配置位置とジャケット表示部内面１００ａとの間に、くり抜き部８３を有する強度が高い基板８２を備えている。すなわち、ジャケット表示部内面１００ａの面積に、アンテナ６０、６１および配線７２の配置位置を残した基板８２を備える構成である。基板８１に適用する材料としては、基板８０と同様であり、またアンテナ基板として基板８２を適用することもできる。
【００６８】
このように、ジャケット表示部内面１００ａの面積にほぼ等しい強度が高い基板８２を備えると、ジャケット１００を装着したノートパソコン３２において、ジャケット表示部外面１００ｂは非導電性材料であるため、アンテナ６０およびアンテナ６１により高周波領域にわたる送受信特性を維持しながら、ジャケット表示部上面１００ｉ、ジャケット表示部右側面１００ｇおよびジャケット表示部左側面１００ｈの全方向からの耐外乱性高めると共に、ジャケット１００の軽量化をすることができる。
【００６９】
また、上述した実施形態では全て保護カバー（すなわち、ジャケット）の各辺の近傍にアンテナを配置する構成で説明したが、アンテナは保護カバーの各辺の近傍に限定されるものではなく、ジャケット表示部外面とジャケット表示部内面との間の面方向に自由に配置することもできる。
【００７０】
また、上述した実施形態では、最大で２種類の周波数を送受信できるアンテナについて説明したが、周波数帯域は拡大すると共に、送受信できる周波数に応じたアンテナの種類も多様化しているため、多数の種類のアンテナを配置することもできる。
【００７１】
なお、保護カバーに配置するアンテナとして逆Ｆ型アンテナについて説明したが、これは一例であり、適用する情報処理装置の形態に応じた最適なアンテナを適用することができる。また、アンテナで送受信する無線電波を処理する回路基板として、一対のアンテナからダイバーシティコントローラによる最適信号を選択する構成を示したが、これも一例であり、例えばダイバーシティコントローラを用いなければ１つの周波数に対して１つのアンテナとすることもできる。
【００７２】
また、上述の実施形態では、情報処理装置として表示筐体と操作筐体とで構成したノートパソコンを例に挙げ説明したが、ゲーム機や携帯電話や医療端末等にも適用することができる。
【産業上の利用可能性】
【００７３】
本発明の情報処理装置は、振動や衝撃等の外部から印加される力に起因し、当該情報処理装置に与える損傷を保護する保護カバーに、無線通信信号を送受信するアンテナを配置した構成を備えるため、例えばノートパソコン、タブレット型パソコン、携帯ゲーム機、携帯電話、携帯医療端末等の各種情報処理装置に適用することができる。
【符号の説明】
【００７４】
１  ノートパソコン
２  表示筐体
２ａ  表示パネル
２ｂ  表示筐体表面
２ｃ  表示筐体裏面
２ｄ  表示筐体上面
２ｅ  表示筐体右側面
２ｆ  表示筐体左側面
２ｇ  表示筐体後面
３  操作筐体
３ａ  操作部
３ｂ  操作筐体表面
３ｃ  操作筐体裏面
３ｄ  操作筐体前面
３ｅ  操作筐体右側面
３ｆ  操作筐体左側面
３ｇ  操作筐体後面
３ｈ  ネジ穴
４  ヒンジ機構
５  保護カバー
５ａ  ジャケット表示部内面
５ｂ  ジャケット表示部外面
５ｃ  ジャケット操作部内面
５ｄ  ジャケット操作部外面
５ｅ  ジャケット接続部内面
５ｆ  ジャケット接続部外面
５ｇ  ジャケット表示部右側面
５ｈ  ジャケット表示部左側面
５ｉ  ジャケット表示部上面
５ｊ  ジャケット操作部右側面
５ｋ  ジャケット操作部左側面
５ｌ  ジャケット操作部前面
５ｍ  貫通孔
６  隆起部
７  ネジ
１０  支持部材
２０  連結部材
２１  基部
２１ａ  第１の側面
２１ｂ  第２の側面
２２  係合部
２２ａ  先端部
２２ｂ  軸部
２３  摺動部
２３ａ  一方の端部
２３ｂ  他方の端部
２３ｃ  空隙
２３ｄ  間隙
２３ｅ  支軸部外側
３１  ノートパソコン
３２  表示筐体
３２ａ  表示パネル
３２ｂ  表示筐体表面
３２ｃ  表示筐体裏面
３２ｄ  表示筐体上面
３２ｅ  表示筐体右側面
３２ｆ  表示筐体左側面
３２ｇ  表示筐体下面
３２ｈ  係合孔
３３  操作筐体
３３ａ  操作部
３３ｂ  操作筐体表面
３３ｃ  操作筐体裏面
３３ｄ  操作筐体前面
３３ｅ  操作筐体右側面
３３ｆ  操作筐体左側面
３３ｇ  操作筐体後面
３３ｈ  ネジ穴
３３ｉ  コネクタ
３３ｊ  コネクタ
５１  逆Ｆアンテナ
５２  グラウンド部
５３  電波共振部
５４  絶縁層
５５  給電点
５６  信号線
５７  グラウンド延長部
５８  電波共振延長部
５９  信号線延長部
６０  アンテナ
６１  アンテナ
７０  配線
７１  コネクタ
７２  配線
７３  コネクタ
８０  基板
８１  基板
８２  基板
８３  くり抜き部
１００  ジャケット
１００ａ  ジャケット表示部内面
１００ｂ  ジャケット表示部外面
１００ｃ  ジャケット操作部内面
１００ｄ  ジャケット操作部外面
１００ｅ  ジャケット接続部内面
１００ｆ  ジャケット接続部外面
１００ｇ  ジャケット表示部右側面
１００ｈ  ジャケット表示部左側面
１００ｉ  ジャケット表示部上面
１００ｊ  ジャケット操作部右側面
１００ｋ  ジャケット操作部左側面
１００ｌ  ジャケット操作部前面
１００ｍ  貫通孔
１１０  ジャケット
１１０ａ  ジャケット表示部内面
１１０ｂ  ジャケット表示部外面
１１０ｃ  ジャケット操作部内面
１１０ｄ  ジャケット操作部外面
１１０ｅ  ジャケット接続部内面
１１０ｆ  ジャケット接続部外面
１１０ｇ  ジャケット表示部右側面
１１０ｈ  ジャケット表示部左側面
１１０ｉ  ジャケット表示部上面
１１０ｊ  ジャケット操作部右側面
１１０ｋ  ジャケット操作部左側面
１１０ｌ  ジャケット操作部前面
１１０ｍ  貫通孔
２００  回路基板
２０１  信号処理回路
２０２  ダイバーシティコントローラ
２０３  切替部
２０４  ＲＦ信号処理回路
２０５  増幅部
２０６  信号処理部
２０７  コネクタ
【図１Ａ】
2014089660.tif 000003
【図１Ｂ】
2014089660.tif 000004
【図１Ｃ】
2014089660.tif 000005
【図２Ａ】
2014089660.tif 000006
【図２Ｂ】
2014089660.tif 000007
【図３Ａ】
2014089660.tif 000008
【図３Ｂ】
2014089660.tif 000009
【図３Ｃ】
2014089660.tif 000010
【図３Ｄ】
2014089660.tif 000011
【図４Ａ】
2014089660.tif 000012
【図４Ｂ】
2014089660.tif 000013
【図５】
2014089660.tif 000014
【図６】
2014089660.tif 000015
【図７Ａ】
2014089660.tif 000016
【図７Ｂ】
2014089660.tif 000017
【図８】
2014089660.tif 000018
【図９Ａ】
2014089660.tif 000019
【図９Ｂ】
2014089660.tif 000020
【図１０Ａ】
2014089660.tif 000021
【図１０Ｂ】
2014089660.tif 000022
【図１０Ｃ】
2014089660.tif 000023
【図１１Ａ】
2014089660.tif 000024
【図１１Ｂ】
2014089660.tif 000025
【図１１Ｃ】
2014089660.tif 000026
【図１１Ｄ】
2014089660.tif 000027
【図１２Ａ】
2014089660.tif 000028
【図１２Ｂ】
2014089660.tif 000029
【図１３Ａ】
2014089660.tif 000030
【図１３Ｂ】
2014089660.tif 000031
【図１４Ａ】
2014089660.tif 000032
【図１４Ｂ】
2014089660.tif 000033
【図１５Ａ】
2014089660.tif 000034
【図１５Ｂ】
2014089660.tif 000035
【図１５Ｃ】
2014089660.tif 000036
【図１５Ｄ】
2014089660.tif 000037
【図１６Ａ】
2014089660.tif 000038
【図１６Ｂ】
2014089660.tif 000039
【図１７Ａ】
2014089660.tif 000040
【図１７Ｂ】
2014089660.tif 000041
【図１８Ａ】
2014089660.tif 000042
【図１８Ｂ】
2014089660.tif 000043
【図１９Ａ】
2014089660.tif 000044
【図１９Ｂ】
2014089660.tif 000045